(57)【要約】【課題】寝たきりの被介護人のおむつの中は熱がこもりやすく、汗や小便で蒸れてしまう。長期間経過すると、股間に雑菌やカビが繁殖しやすくなり、かぶれや湿疹といった皮膚炎を起こし、かゆみや匂いを発生させる原因となる。又、おむつを交換する介護者にとって、おむつの臭いは最大の苦痛となっている。【解決手段】ガス噴出体がおむつの中に装着され、ガス噴出体にオゾン発生器からオゾンを供給し、おむつ内にオゾンを噴出せしめて、おむつ内の消臭・殺菌をする装置であり、方法である。ガス噴出体は、おむつ交換のたびに、おむつに取付け取り外し方式にして、使用後は洗浄することにより、繰り返し使用することができる。又、ガス噴出体をあらかじめおむつに組み込んで、おむつと一体的に生成し、おむつ交換の際は、おむつと一緒に廃棄して使い捨て方式にできる。又、空気源を連結して、おむつ内を乾燥状態にできる。【選択図】図１
2020018604.tif 000002
【特許請求の範囲】
【請求項１】
ガス噴出体がおむつの中に装着され、前記ガス噴出体には、オゾンを生成するオゾン発生器が接続され、該機能オゾン発生器で生成されたオゾンが、前記ガス噴出体に供給され、前記ガス噴出孔から前記おむつ内にオゾンが噴出され、前記おむつ内が消臭・殺菌されることを特徴とするおむつ消臭・殺菌装置。
【請求項２】
前記オゾン発生器と空気源がオリフィスを内蔵した混合コネクタで結合されており、前記混合コネクタで、前記オゾン発生器で生成したオゾンを吸引して、前記ガス噴出体に供給することを特徴とする請求項１記載のおむつ消臭・殺菌装置。
【請求項３】
複数のオゾン噴出孔が設けられたオゾン噴出体がおむつの中に敷設され、前記オゾン噴出体には、消臭・殺菌機能を有するオゾンを発生するオゾン発生器が接続され、前記オゾン噴出体に前記オゾンが吹き込まれ、前記オゾンが前記オゾン噴出孔から前記おむつ内に噴出して、前記おむつ内が消臭・殺菌されることを特徴とするおむつ。
【請求項４】
前記おむつの中に敷設して、複数の前記オゾン噴出孔から機能オゾンを噴出して、前記おむつ内を消臭・殺菌することを特徴とする請求項１又は請求項２又は請求項３記載のオゾン噴出体。
【請求項５】
前記ガス噴出体が前記おむつの中に敷設され、前記ガス噴出体には、オゾンを生成する前記オゾン発生器が接続され、該機能オゾン発生器で生成されたオゾンが、前記ガス噴出体に供給され、前記ガス噴出孔から前記おむつ内にオゾンが噴出され、前記おむつ内が消臭・殺菌されることを特徴とするおむつ消臭・殺菌方法。
【発明の詳細な説明】
【技術分野】
【０００１】
本発明は、おむつ内にオゾンを吹き込んで、おむつ内を消臭・殺菌する装置及びその装置を使用しておむつ内を消臭・殺菌する方法に関する。
【背景技術】
【０００２】
長時間、おむつをして寝たきりの状態でいると、おむつの中は熱がこもりやすく、汗や小便で蒸れてしまう。おむつでカバーしている部分は、通常日光に当てたり外気にさらされたりすることが少なく、乾燥した状態に保つことができない。小便や糞でおむつ内が蒸れた状態で長期間経過すると、股間に雑菌やカビが繁殖しやすくなり、かゆみや匂いを発生させ、かぶれや湿疹などの皮膚炎を起こす原因となる。又、おむつ内の臭いは、おむつの隙間から室内に洩れ、室内全体に悪臭が充満する。又、おむつを交換する介護者にとって、おむつの臭いは最大の苦痛となっている。
【０００３】
特開２０１７−１７９６２９号広報において、ポンプにより圧縮した空気を、チューブの中を通して送り、噴出部からおむつなどに噴出せしめる股部換気装置が提案されている。この方法においては、おむつの中を空気で換気するので、ある程度乾燥させることができるが、消臭や殺菌効果は無い。
【０００４】
特開平６−２２８２９号公報において、クッション体の心材の中に電動送風機を配し、上面に通気性のある弾性マットを配設した通気クッションが提案されている。特開２００３−２２５１４０号公報において、ファンで宝箱に風を送ることにより、股間を冷やす構成の座布団が提案されている。クッションや座布団にエアの供給・吸引により、換気し股間を冷却する方法であり、消臭・殺菌する効果はない。
【０００５】
実開昭６２−３５５５８号公報において、自動車の冷暖房装置の冷暖気搬送管から、シートクッションに冷暖房気体を吹き込む方法が提案されている。これらの方法においては、対象物をある程度乾燥させることができるが、消臭・殺菌効果はない。
【先行技術文献】
【特許文献】
【０００６】
【特許文献０１】特開２０１７−１７９６２９号広報
【特許文献０２】特開平６−２２８２９号公報
【特許文献０３】特開２００３−２２５１４０号公報
【特許文献０４】実開昭６２−３５５５８号公報
【発明の概要】
【発明が解決しようとする課題】
【０００７】
本発明は以下の課題を解決するものである。（１）おむつ内を消臭・殺菌することにより、雑菌やカビの繁殖を防ぎ、かぶれや湿疹などの皮膚炎を防止する。（２）おむつ内を消臭し、臭いが室内に漏洩しないようにする。（３）おむつ交換の際の臭いを抑えることにより、介護作業の苦痛を軽減する。（４）おむつ内を乾燥させることにより、病人を快適な状態に維持する。
【課題を解決するための手段】
【０００８】
第１の解決手段は特許請求項１に示すように、ガス噴出体がおむつの中に装着され、前記ガス噴出体には、オゾン発生器が接続され、該オゾン発生器で生成されたオゾンが、前記ガス噴出体に供給され、前記ガス噴出孔から前記おむつ内にオゾンが噴出され、前記おむつ内が消臭・殺菌されることを特徴とするおむつ消臭・殺菌装置である。
【０００９】
第２の解決手段は特許請求項２に示すように、前記オゾン発生器と空気源がオリフィスを内蔵した混合コネクタで結合されており、前記混合コネクタで、前記オゾン発生器で生成したオゾンを吸引して、前記ガス噴出体に供給することを特徴とするおむつ消臭・殺菌装置である。
【００１０】
第３の解決手段は特許請求項３に示すように、ガス噴出孔が設けられたガス噴出体がおむつの中に装着され、もしくはおむつと一体的に組み込まれており、前記ガス噴出体には、オゾン発生器が接続され、前記ガス噴出体にオゾンが吹き込まれ、オゾンが前記オゾン噴出孔から前記おむつ内に噴出して、前記おむつ内が消臭・殺菌されることを特徴とするおむつである。
【００１１】
第４の解決手段は特許請求項４に示すように、前記おむつの中に装着して、複数の前記オゾン噴出孔からオゾンを噴出して、前記おむつ内を消臭・殺菌することを特徴とするガス噴出体である。
【００１２】
第５の解決手段は特許請求項５に示すように、前記ガス噴出体が前記おむつの中に敷設され、前記ガス噴出体には、前記オゾン発生器が接続され、該オゾン発生器で生成されたオゾンが、前記ガス噴出体に供給され、前記ガス噴出孔から前記おむつ内にオゾンが噴出され、前記おむつ内が消臭・殺菌されることを特徴とするおむつ消臭・殺菌方法である。
【発明の効果】
【００１３】
第１の解決手段による効果は以下である。（１）オゾンの消臭機能により、おむつ交換の際におむつ内の臭いを低減できる。（２）オゾンの殺菌機能によりおむつ内を清潔に維持できるので、むれやただれが低減し被介護人を快適に保持できる。（３）おむつ内の臭いが室内に拡散しないので、快適な介護ができる。
【００１４】
第２の解決手段による効果は以下である。（１）少量のオゾンに大量の空気を混在させルことにより、おむつを消臭・殺菌するとともに乾燥させることができる。（２）オゾンの殺菌機能や乾燥機能によりおむつ内を清潔に維持できるので、むれやただれが低減し被介護人を快適な状態に保持できる。（３）おむつ内乾燥のため、空気のみをおむつに供給した場合は、おむつから排出された空気は、臭いや菌を含有しており、悪臭や細菌で室内を汚染していたが、空気に少量のオゾンを混合することで、消臭・殺菌され、快適な病室を具現化できた。
【００１５】
第３の解決手段による効果は以下である。（１）おむつの中に、あらかじめガス噴出体を組み込んで、一体的に整形することにより、おむつ交換のたびに、おむつにガス噴出体を装填する必要が無い。（２）おむつ交換の際は、おむつと一緒に廃棄できる。
【００１６】
第４の解決手段による効果は以下である。（１）ガス噴出体は、おむつの形状や被介護人の状況に応じて、それぞれに適した様々な形状や大きさのものを提供できる。（２）ガス噴出体の形状や大きさを標準化することにより、大量生産、低コストができ、多くの被介護人の快適な闘病を支えることができる。
【００１７】
第５の解決手段による効果は以下である。（１）おむつの中にオゾンを噴出させる方法により、おむつの中を消臭・殺菌することができる。（２）おむつ交換時に、被介護人の排泄物の臭いを消臭できるので、介護人の苦痛を低減できる。（３）殺菌作用により、被介護人のかぶれやただれを改善でき、快適な闘病生活を実現できる。（４）おむつ内の臭いが室内に拡散しないので、快適な介護ができる。
【図面の簡単な説明】
【００１８】
【図１】はガス噴出体とオゾン発生器を接続したおむつ消臭・殺菌装置。
【図２】はガス噴出体をおむつの中に装填した平面図。
【図３】はガス噴出体をおむつの中に装填した横断面図。
【図４】は矩形袋型ガス噴出体の横断面図。
【図５】は矩形袋型ガス噴出体に充填材を充填した横断面図。
【図６】はチューブ型ガス噴出体の実施態様図。
【図７】はチューブ型ガス噴出体の横断面図。
【図８】はチューブ型ガス噴出体に充填材を充填した横断面図。
【図９】は矩形袋型ガス噴出体にファスナーを取付けた平面図。
【図１０】はオゾンをオリフィスコネクタで空気管に接続したガス系統図。
【図１１】はオリフィスコネクタの断面図。
【図１２】ガス噴出体を一体的に組み込んだおむつ断面図。
【図１３】チューブ型ガス噴出体を取付けたおむつ平面図。
【発明を実施するための形態】
【００１９】
本発明の実施形態を請求項１〜請求項５及び図１〜図１３に基づいて説明する。
【００２０】
第１の解決手段は特許請求項１に示すように、ガス噴出体２０がおむつ５０の中に装着され、前記ガス噴出体２０には、オゾン発生器３０が接続され、該オゾン発生器３０で生成されたオゾンが、前記ガス噴出体２０に供給され、前記ガス噴出孔２０ａから前記おむつ５０内にオゾンが噴出され、前記おむつ５０内が消臭・殺菌されることを特徴とするおむつ消臭・殺菌装置１０である。
【００２１】
ガス噴出体２０の形状としては、例えば、図１（ａ）に示すように、オゾンをおむつ５０の吸水材５３をカバーするために矩形袋型ガス噴出体２１がある。矩形袋型ガス噴出体２１は、おむつ５０内の吸水材周辺にオゾンを均一に噴出するため、ヘッダー機能と分配機能の役割を有し、複数のガス噴出孔２０ａが設けられている。ガス噴出体２０には、オゾン発生器３０から延びているチューブ４０を接続するための着脱式のコネクタ６０が取付けられ、オゾン発生器３０とガス噴出体２０が接続されている。おむつ５０交換の際には、着脱式コネクタ６０により、ガス噴出体２０とオゾン発生器３０を簡単に脱着できる。使用後のガス噴出体２０は、洗浄・消毒することにより繰り返し使用することができる。
【００２２】
図１（ａ）に示すように、矩形袋型ガス噴出体２１は矩形であるが、矩形の他に、図１（ｂ）に示す楕円形袋型ガス噴出体２１０や図１（ｃ）に示す円形袋型ガス噴出体２１１などでもよい。楕円形袋型ガス噴出体２１０や円形袋型ガス噴出体２１１の場合は、おむつ５０の奥に載置する場合があるので、コネクタ６０をおむつ５０の外に出すために、ガス噴出体２０とコネクタ６０をチューブ４１で連結してもよい。
【００２３】
図２は、矩形袋型ガス噴出体２１がおむつ５０に装着された場合の平面図を示している。ガス噴出体２０は図１のような袋型ガス噴出体２１以外にも色々な実施態様がある。例えば、図６にチューブ型ガス噴出体２２の実施態様例を示している。図６（ａ）は１本のチューブ先端２２ａを解放して、チューブ先端２２ａからガスを吹き込む方式である。形状が簡単であり、おむつ５０への着脱が容易である。図６（ｂ）は、一本のチューブの先端２２ａを閉じて、全体に複数のガス噴出孔２０ａを設けている。おむつ５０への着脱が容易であり、おむつ５０全体にオゾンを噴出できる。図６（ｃ）はチューブを複数に曲げて、複数のガス噴出孔２０ａを設けている。おむつ５０への着脱が容易であり、おむつ５０全体に均等にオゾンを噴出できる。チューブ型ガス噴出体２２の径Ｄは、５〜２０ｍｍが適している。
【００２４】
ガス噴出体２０の有する特性としては以下が必要である。（１）おむつ５０の曲がりや凹凸に柔軟に適合し、被介護人の寝返りなどの動きを阻害することがない。（２）オゾンの圧力や被介護人が動く際に生じる引張り力に耐え、破損することがない。（３）尿や糞などの水分を吸収しにくい。（４）おむつ５０への取付け取り外しが容易である。（５）簡単に洗浄できて繰り返し使用できる。
【００２５】
以上の特性を満たすために、ガス噴出体２０の材質はシール性がよく引っ張り強度に優れた材質がよい。例えば、樹脂としては、浮き袋などに多用されている塩化ビニルや、ポリエチレン、ポリエステル、ポリウレタン、ナイロン、ポリオレフィン、プロピレン、シリコン、スチレン系エラストマーフィルムや不織布などが使用できる。ガス噴出体２０の厚みは０．１〜０．３ｍｍがよい。０．１ｍｍより薄いと、被介護人が動いた際に摩擦力で破れる可能性がある。０．３ｍｍより厚いと、剛性が高くなり柔軟性が低下し、被介護人の動きを拘束するのでストレスを与えてしまう。ガス噴出孔２０ａの径は０．０１〜１ｍｍがよい。０．０１ｍｍより小さいと、噴出力が低下し、おむつ５０の奥まで浸透しにくくなる。１ｍｍより大きいと、ガス噴出体２０の内圧が低下しすぎて、噴出力が低下するので、おむつ５０全体にオゾンが行き渡らなくなる。又、ポリエステルなどの不織布を使用する場合は、大きなガス噴出孔２０ａは不要であり、ガス噴出孔２０ａとして繊維間の小さな隙間を利用できる。
【００２６】
図５や図８に示すように、ガス噴出体２０の内部にはファイバーやスポンジなどの充填材７０を充填してもよい。図５は、矩形袋型ガス噴出体２１にファイバー７０を充填した例である。図８は、チューブ型ガス噴出体２２にファイバー７０を充填した例である。被介護人の動きでガス噴出体２０が部分的に押付けられても、ガス噴出体２０の中に隙間を保持できるので、オゾンの流れを損なうことなく適正な噴出が保持できるからである。又、おむつ５０にガス噴出体２０を装着する際に、変形させても、確実にガス噴出体２０内にオゾンの通り道を保持できる。充填材７０としてのファイバー材質は、塩化ビニルや、ポリエチレン、ポリウレタン、ナイロン、ポリオレフィン、プロピレン、シリコンなどが使用できる。スポンジとしては、発泡ウレタンなどが使用できる。
【００２７】
図９は、矩形袋型ガス噴出体２１に、充填材を充填するための開口部２１ｂを設け、シール性のよいファスナー２１ａを取付けた例を示している。ファスナー２１ａの開閉により充填材７０を充填したり取り出したりするのが容易である。
【００２８】
図３はおむつ５０にガス噴出体２０を装着した際の断面構造を示している。通常、おむつ５０内側表面は不織布でできた表面材５７でカバーされている。表面材５７の上部にはギャザー５８が設けられ、おむつ５０と体をシールする。又、表面材５７の下層には吸水材５３が載置されている。吸水材５３は吸水紙５５と綿状パルプ５４と高分子吸収材５６から構成されている。吸収紙５５は、尿を吸収して綿状パルプ５４に送り込む。綿状パルプ５４は高分子吸水材５６を包み込んでおり、高分子吸収材５６によって尿は吸収され、ジェル状に固定される。高分子吸水材５６は、粉状であるが、水分に触れるとジェル状になり、尿を外にもらさない。吸水材５３の外側には、防水材５２があり、端末はギャザーになっている。その外側を表面素材５１で被覆している。
【００２９】
おむつ５０を被介護人に装着するたびに、ガス噴出体２０をおむつ５０に装着するのは手間がかかり介護人の負荷が増大する。そのため、あらかじめ、ガス噴出体２０をおむつ５０と一体的に組み込んでおいてもよい。例えば、図１２に示すように、防水材５２と表面素材５１の端末を接着して接合部５０ａを形成し、一体化して袋を形成し、吸水材５３と面する側にガス噴出孔２０ａとコネクタ６０を設ければガス噴出体２０となる。おむつ５０とガス噴出体２０を一体的に形成することにより、おむつ５０交換のたびに、ガス噴出体２０をおむつ５０に脱着する手間が省ける。ガス噴出体２０をおむつ５０と一緒に廃棄できて衛生的である。ガス噴出体２０を再利用のため洗浄・消毒する手間も省略できて、介護人の負荷を低減できる。
【００３０】
ガス噴出体２０は、吸水材５３と防水材５２の間に載置するのがよい。吸水材５３に染みこんだ尿に直接オゾンを吹き付けることができるからである。図２と図３に、矩形袋型ガス噴出体２１をおむつ５０に載置した状態を示す。
【００３１】
オゾン発生器３０は無声放電方式、電気分解方式、紫外線ランプ方式等によりオゾンを発生させる。無声放電（Silent discharge）とは平行電極間に誘電体（dielectric）を、設け、この間に酸素ガス、乾燥空気等を供給し、両極間に交流高電圧を印加する際に観察される放電現象である。オゾン生成の原理は、安定な酸素分子に電子を衝突させ酸素原子に解離させ（O2＋e→20＋e）、さらに酸素分子と酸素原子を衝突させてオゾンを形成する（O＋O2＋M→03＋M）。オゾン発生器は多種多様な機種が汎用品として販売されているので、おむつ５０に適した仕様を自在に選択できる。
【００３２】
オゾンは空気中では分解速度が遅くなるが、おむつの中は尿、糞などから発生する水分や含有成分と素早く反応し酸素に戻るので、空中に放散する場合よりも、おむつ内のオゾン濃度は低く保持できる。尿の含有成分は、約９８％が水であり、尿素約２％、微量のナトリウム、カリウム、マグネシウム、リン酸、クレアチニン、尿酸、アンモニア、ホルモン、スカノール、インドールなどを含有している。例えば、オゾンは、アンモニアと反応して脱臭反応して消費されるとともに、無害な酸素、水、水素が生成される。
【００３３】
オゾン発生器３０のオゾン発生量は０．２ｍｇ／ｈｒ以下が望ましい。日本産業衛生学会の定めた労働環境における許容濃度は、０．１ｐｐｍ以下である。又、アメリカ合衆国食料医薬品局の最大許容濃度は０．０５ｐｐｍ以下である。独立行政法人国民生活センターのテストでは、３５ｍ３の部屋で、オゾン発生器出口２．２ｐｐｍでオゾン発生器を運転すると、３０分間で０．１ｐｐｍに到達し、運転停止後３０分経過すると、０．０８ｐｐｍ程度に低減する。オゾンは少量の発生量でも室内に充満しやすく、オゾンの供給を停止した後でも減衰しにくい性質をもっている。
【００３４】
被介護人の健康障害を回避するための要点は以下である。（１）おむつ内のオゾン濃度を常時測定し、許容濃度以下となるように管理する。（２）室内のオゾン濃度を常時測定し、許容濃度以下となるように管理する。このため、オゾン発生器は、オゾン測定器と連動して、設定値に達した場合は自動的に運転停止したり、又、タイマーによって間欠的に運転したりする対策が考えられる。特に、被介護人の周辺のオゾン量は慎重な管理が必要で有り、健康障害を起こさないようにしなければならない。
【００３５】
第２の解決手段は特許請求項２に示すように、前記オゾン発生器３０と空気源８０がオリフィスを内蔵した混合コネクタ９０で結合されており、前記混合コネクタ９０で、前記オゾン発生器３０で生成したオゾンを吸引して、前記ガス噴出体２０に供給することを特徴とするおむつ消臭・殺菌装置１０である。
【００３６】
図１０に、オゾン発生器３０と空気源８０を接続した実施態様を示している。オゾン発生器３０から生成されるオゾン量や圧力は低いが、オゾンは、通常０．１ｐｐｍ以上の濃度になると人体に障害をもたらす問題がある。一方で、常時おむつ５０を装着している被介護人は、おむつ５０の中が蒸れて不快な思いをしている。本発明は、おむつ５０の中を最低限消臭・殺菌できる程度のオゾンを供給するとともに、おむつ５０内を乾燥状態にするのに必要な空気を同時に供給することができる。又、空気をヒーターで加熱したり、ペルチェ素子などで冷却したりして温度コントロールした空気をおむつ５０に供給することにより、被介護人をより快適な状態に保持できる。
【００３７】
空気源８０は空気ボンベやコンプレッサーなどを使用できる。空気の圧力は０．００１ＭＰａ〜０．１ＭＰａがよい。０．００１ＭＰａより低圧であると、オゾン吸引力が弱く、空気中のオゾン濃度が低下する。０．１ＭＰａより大きいとチューブやガス噴出体の耐圧強度向上のため、剛性アップとなり、柔軟性が損なわれる。空気源８０の流量は０．０１ｍ３／ｍｉｎ〜１ｍ３／ｍｉｎがよい。０．０１ｍ３／ｍｉｎより少ないと、おむつ５０の乾燥効果が小さい。１ｍ３／ｍｉｎより多いと、乾燥機能としては過大であり、被介護人に不快感を与える。
【００３８】
オゾン流量はバルブ３１，空気量はバルブ８１で調整できる。バルブ３１，８１は手動で開度調整できる。それぞれに流量計を設けて、電気信号を送り、自動的に流量調整するようにしてもよい。
【００３９】
図１１は、図１０の混合コネクタ９０のａ部を拡大し、断面した図である。ストレートな空気の流れに対して、オリフィス９０ａにオゾンを供給する。オリフィス９０ａは静圧が低いので、オゾンは吸引され、オゾンと空気が混合されて、ガス噴出体２０に送られる。おむつ内に空気だけを供給する場合は、おむつから噴出した空気は、臭気を含んでおり、被介護人周辺だけでなく、室内全体が悪臭が充満する。そのため、おむつ内に空気を送り込むことができなかった。本発明により、空気とともにオゾンが供給されるので、おむつから噴出する空気は完全に消臭されるので、室内に不快な臭いが充満することがない。本発明により、おむつ５０内を消臭・殺菌と同時に乾燥させることができるようになった。
【００４０】
第３の解決手段は特許請求項３に示すように、複数のガス噴出孔２０ａが設けられたガス噴出体２０がおむつ５０の中に装着され、もしくは一体的に組み込まれ、前記ガス噴出体２０には、オゾン発生器３０が接続され、前記ガス噴出体２０にオゾンが吹き込まれ、オゾンが前記オゾン噴出孔２０から前記おむつ５０内に噴出して、前記おむつ５０内が消臭・殺菌されることを特徴とするおむつ５０である。
【００４１】
図３は、矩形袋型ガス噴出体２１を取付けたおむつの断面図で、矩形袋型ガス噴出体２１は、防水材５２吸水材５３との間に装着した例を示している。図１３は、チューブ型ガス噴出体２２を、防水材５２と吸水紙５５の間に装着した例を示している。チューブ型ガス噴出体は防水材５２と吸水紙５５は端部をシール５９している。シール方法は接着剤による接合でもよいし、縫合でもよい。吸水材とガス噴出体２０をおむつ５０に取付ければ、ガス噴出体２０付きのおむつ５０を具現化できる。ガス噴出体２０をおむつ５０に取付ける方法は、おむつの種類によって様々な実施態様が考えられる。ガス噴出体２０とおむつ５０が独立している場合は、ガス噴出体２０を洗浄殺菌して繰り返し使用できる。しかしながら、おむつ５０を被介護人に装着するたびに、ガス噴出体２０をおむつ５０に装着するのは手間がかかり介護人の負荷が増大する。
【００４２】
図１２に示すように、あらかじめ、おむつ５０の中にガス噴出体２０を一体的に成形してもよい。例えば、防水材５２と表面素材５１の端末を接着して接合部５０ａを形成し、一体化して袋を形成し、吸水材５３と面する側にガス噴出孔２０ａとコネクタ６０を設ければガス噴出体２０となる。防水材５２と表面素材５１の接合方法は接着剤で貼り付けてもよいし、縫合してもよい。
【００４３】
ガス噴出体２０と一体化されているおむつ５０は、ガス噴出体２０をおむつ５０と一緒に廃棄できて衛生的である。ガス噴出体２０を再利用のため洗浄・消毒する手間も省略できて、介護人の負荷を低減できる。
【００４４】
第４の解決手段は特許請求項４に示すように、前記おむつ５０の中に装着して、前記オゾン噴出孔２０ａからオゾンを噴出して、前記おむつ内を消臭・殺菌することを特徴とするガス噴出体２０である。
【００４５】
図１の矩形袋型ガス噴出体２１や図６のチューブ状ガス噴出体２２のように、おむつ５０の中に内装して、オゾンを噴出するガス噴出体２０には色々な実施態様がある。
【００４６】
ガス噴出体２０は、洗浄して繰り返し使用できるようにしてもよい。又、あらかじめ、おむつ５０と一体に成型し、おむつ５０交換後は廃棄できるようにして、使い捨てにしてもよい。
【００４７】
第５の解決手段は特許請求項５に示すように、前記ガス噴出体２０が前記おむつ５０の中に敷設され、前記ガス噴出体２０には、前記オゾン発生器３０が接続され、該オゾン発生器３０で生成されたオゾンが、前記ガス噴出体２０に供給され、前記ガス噴出孔２０ａから前記おむつ５０内にオゾンが噴出され、前記おむつ５０内が消臭・殺菌されることを特徴とするおむつ消臭・殺菌方法である。
【００４８】
本発明は、おむつ５０の中にオゾンを吹き込むことにより、おむつ５０を消臭・殺菌する方法である。介護人とって、おむつ５０交換は、一人の被介護人に対して、毎日数回発生し、過酷な肉体労働であるだけでなく、被介護人の排泄物の臭いに苦しめられている。従来、おむつを消臭・殺菌する方法はなく、おむつ交換は、現場介護人の献身的犠牲の上に成り立っている。おむつの中を積極的に消臭・殺菌することで、介護現場の改善を実現するものである。
【００４９】
１０：おむつ消臭・殺菌装置
２０：ガス噴出体
２０ａ：ガス噴出孔
２１：矩形袋型ガス噴出体
２１ａ：ファスナー
２１ｂ：開口部
２１０：楕円形袋型ガス噴出体
２１１：円形袋型ガス噴出体
２２：チューブ型ガス噴出体
２２ａ：チューブ先端
３０：オゾン発生器
４０：チューブ
４１：チューブ
４２：チューブ
４３：チューブ
５０：おむつ
５０ａ：接合部
５１：表面素材
５２：防水材
５３：吸収材
５４：綿状パルプ
５５：吸収紙
５６：高分子吸収材
５７：表面材
５８：ギャザー
５９：シール
６０：コネクタ
７０：充填材
８０：空気源
９０：混合コネクタ
９０ａ：オリフィス
Ｄ：チューブ型ガス噴出体の外形
【図１】
2020018604.tif 000003
【図２】
2020018604.tif 000004
【図３】
2020018604.tif 000005
【図４】
2020018604.tif 000006
【図５】
2020018604.tif 000007
【図６】
2020018604.tif 000008
【図７】
2020018604.tif 000009
【図８】
2020018604.tif 000010
【図９】
2020018604.tif 000011
【図１０】
2020018604.tif 000012
【図１１】
2020018604.tif 000013
【図１２】
2020018604.tif 000014
【図１３】
2020018604.tif 000015
【手続補正書】
【提出日】平成31年2月21日(2019.2.21)
【手続補正１】
【補正対象書類名】特許請求の範囲
【補正対象項目名】請求項１
【補正方法】変更
【補正の内容】
【請求項１】
ガス噴出体がおむつの中に装着され、前記ガス噴出体には、オゾンを生成するオゾン発生器が接続され、該オゾン発生器で生成されたオゾンが、前記ガス噴出体に供給され、ガス噴出孔から前記おむつ内にオゾンが噴出され、前記おむつ内が消臭・殺菌されることを特徴とするおむつ消臭・殺菌装置。
【手続補正２】
【補正対象書類名】特許請求の範囲
【補正対象項目名】請求項３
【補正方法】変更
【補正の内容】
【請求項３】
複数の前記ガス噴出孔が設けられた前記ガス噴出体が前記おむつの中に敷設され、前記ガス噴出体には、消臭・殺菌作用を有するオゾンを発生する前記オゾン発生器が接続され、前記ガス噴出体にオゾンが吹き込まれ、オゾンが前記ガス噴出孔から前記おむつ内に噴出して、前記おむつ内が消臭・殺菌されることを特徴とする請求項１又は請求項２記載のおむつ。
【手続補正３】
【補正対象書類名】特許請求の範囲
【補正対象項目名】請求項４
【補正方法】変更
【補正の内容】
【請求項４】
前記おむつの中に敷設して、複数の前記ガス噴出孔からオゾンを噴出して、前記おむつ内を消臭・殺菌することを特徴とする請求項１又は請求項２又は請求項３記載のガス噴出体。
【手続補正４】
【補正対象書類名】特許請求の範囲
【補正対象項目名】請求項５
【補正方法】変更
【補正の内容】
【請求項５】
前記ガス噴出体が前記おむつの中に敷設され、前記ガス噴出体には、オゾンを生成する前記オゾン発生器が接続され、該オゾン発生器で生成されたオゾンが、前記ガス噴出体に供給され、前記ガス噴出孔から前記おむつ内にオゾンが噴出され、前記おむつ内が消臭・殺菌されることを特徴とする請求項１又は請求項２又は請求項３又は請求項４記載のおむつ消臭・殺菌方法。
【手続補正５】
【補正対象書類名】明細書
【補正対象項目名】０００８
【補正方法】変更
【補正の内容】
【０００８】
第１の解決手段は特許請求項１に示すように、ガス噴出体がおむつの中に装着され、前記ガス噴出体には、オゾンを生成するオゾン発生器が接続され、該オゾン発生器で生成されたオゾンが、前記ガス噴出体に供給され、ガス噴出孔から前記おむつ内にオゾンが噴出され、前記おむつ内が消臭・殺菌されることを特徴とするおむつ消臭・殺菌装置である。
【手続補正６】
【補正対象書類名】明細書
【補正対象項目名】００１０
【補正方法】変更
【補正の内容】
【００１０】
第３の解決手段は特許請求項３に示すように、複数の前記ガス噴出孔が設けられた前記ガス噴出体が前記おむつの中に敷設され、前記ガス噴出体には、消臭・殺菌作用を有するオゾンを発生する前記オゾン発生器が接続され、前記ガス噴出体にオゾンが吹き込まれ、オゾンが前記ガス噴出孔から前記おむつ内に噴出して、前記おむつ内が消臭・殺菌されることを特徴とするおむつである。
【手続補正７】
【補正対象書類名】明細書
【補正対象項目名】００１１
【補正方法】変更
【補正の内容】
【００１１】
第４の解決手段は特許請求項４に示すように、前記おむつの中に敷設して、複数の前記ガス噴出孔からオゾンを噴出して、前記おむつ内を消臭・殺菌することを特徴とするガス噴出体である。
【手続補正８】
【補正対象書類名】明細書
【補正対象項目名】００１２
【補正方法】変更
【補正の内容】
【００１２】
第５の解決手段は特許請求項５に示すように、前記ガス噴出体が前記おむつの中に敷設され、前記ガス噴出体には、オゾンを生成する前記オゾン発生器が接続され、該オゾン発生器で生成されたオゾンが、前記ガス噴出体に供給され、前記ガス噴出孔から前記おむつ内にオゾンが噴出され、前記おむつ内が消臭・殺菌されることを特徴とするおむつ消臭・殺菌方法である。
【手続補正９】
【補正対象書類名】明細書
【補正対象項目名】００２０
【補正方法】変更
【補正の内容】
【００２０】
第１の解決手段は特許請求項１に示すように、ガス噴出体２０がおむつ５０の中に装着され、前記ガス噴出体２０には、オゾンを生成するオゾン発生器３０が接続され、該オゾン発生器３０で生成されたオゾンが、前記ガス噴出体２０に供給され、ガス噴出孔２０ａから前記おむつ５０内にオゾンが噴出され、前記おむつ５０内が消臭・殺菌されることを特徴とするおむつ消臭・殺菌装置である。
【手続補正１０】
【補正対象書類名】明細書
【補正対象項目名】００４０
【補正方法】変更
【補正の内容】
【００４０】
第３の解決手段は特許請求項３に示すように、複数の前記ガス噴出孔２０ａが設けられた前記ガス噴出体２０が前記おむつ５０の中に敷設され、前記ガス噴出体２０には、消臭・殺菌作用を有するオゾンを発生する前記オゾン発生器３０が接続され、前記ガス噴出体２０にオゾンが吹き込まれ、オゾンが前記ガス噴出孔２０ａから前記おむつ５０内に噴出して、前記おむつ５０内が消臭・殺菌されることを特徴とするおむつである。
【手続補正１１】
【補正対象書類名】明細書
【補正対象項目名】００４４
【補正方法】変更
【補正の内容】
【００４４】
第４の解決手段は特許請求項４に示すように、前記おむつ５０の中に敷設して、複数の前記ガス噴出孔２０ａからオゾンを噴出して、前記おむつ５０内を消臭・殺菌することを特徴とするガス噴出体である。
【手続補正１２】
【補正対象書類名】明細書
【補正対象項目名】００４７
【補正方法】変更
【補正の内容】
【００４７】
第５の解決手段は特許請求項５に示すように、前記ガス噴出体２０が前記おむつ５０の中に敷設され、前記ガス噴出体２０には、オゾンを生成する前記オゾン発生器３０が接続され、該オゾン発生器３０で生成されたオゾンが、前記ガス噴出体２０に供給され、前記ガス噴出孔２０ａから前記おむつ５０内にオゾンが噴出され、前記おむつ５０内が消臭・殺菌されることを特徴とするおむつ消臭・殺菌方法である。
【手続補正書】
【提出日】令和1年6月12日(2019.6.12)
【手続補正１】
【補正対象書類名】特許請求の範囲
【補正対象項目名】請求項１
【補正方法】変更
【補正の内容】
【請求項１】
ガス噴出体がおむつの中に装着され、前記ガス噴出体は前記おむつの吸水材と防水材の間に載置されており、前記ガス噴出体には、オゾンを生成するオゾン発生器が接続され、該オゾン発生器で生成されたオゾンが、前記ガス噴出体に供給され、ガス噴出孔から前記おむつ内にオゾンが噴出され、前記おむつ内が消臭・殺菌されることを特徴とするおむつ消臭・殺菌装置。
【手続補正２】
【補正対象書類名】特許請求の範囲
【補正対象項目名】請求項３
【補正方法】変更
【補正の内容】
【請求項３】
複数の前記ガス噴出孔が設けられた前記ガス噴出体が前記おむつの中に敷設され、前記ガス噴出体には、消臭・殺菌作用を有するオゾンを発生する前記オゾン発生器が接続され、前記ガス噴出体にオゾンが吹き込まれ、オゾンが前記ガス噴出孔から前記おむつ内に噴出して、前記おむつ内が消臭・殺菌されることを特徴とする請求項１もしくは請求項２記載のおむつ消臭・殺菌装置を備えたおむつ。
【手続補正３】
【補正対象書類名】特許請求の範囲
【補正対象項目名】請求項４
【補正方法】変更
【補正の内容】
【請求項４】
前記おむつの中に敷設して、複数の前記ガス噴出孔からオゾンを噴出して、前記おむつ内を消臭・殺菌することを特徴とする請求項１もしくは請求項２記載のおむつ消臭・殺菌装置に用いられるガス噴出体、もしくは請求項３記載のおむつに用いられるガス噴出体。
【手続補正４】
【補正対象書類名】特許請求の範囲
【補正対象項目名】請求項５
【補正方法】変更
【補正の内容】
【請求項５】
前記ガス噴出体が前記おむつの中に敷設され、前記ガス噴出体には、オゾンを生成する前記オゾン発生器が接続され、該オゾン発生器で生成されたオゾンが、前記ガス噴出体に供給され、前記ガス噴出孔から前記おむつ内にオゾンが噴出され、前記おむつ内が消臭・殺菌されることを特徴とする請求項１もしくは請求項２記載のおむつ消臭・殺菌装置を用いたおむつ消臭・殺菌方法、もしくは請求項３記載のおむつを用いたおむつ消臭・殺菌方法、もしくは請求項４記載のガス噴出体を用いたおむつ消臭・殺菌方法。
【手続補正６】
【補正対象書類名】明細書
【補正対象項目名】０００８
【補正方法】変更
【補正の内容】
【０００８】
第１の解決手段は特許請求項１に示すように、ガス噴出体がおむつの中に装着され、前記ガス噴出体は前記おむつの吸水材と防水材の間に載置されており、前記ガス噴出体には、オゾンを生成するオゾン発生器が接続され、該オゾン発生器で生成されたオゾンが、前記ガス噴出体に供給され、ガス噴出孔から前記おむつ内にオゾンが噴出され、前記おむつ内が消臭・殺菌されることを特徴とするおむつ消臭・殺菌装置である。
【手続補正７】
【補正対象書類名】明細書
【補正対象項目名】００１０
【補正方法】変更
【補正の内容】
【００１０】
第３の解決手段は特許請求項３に示すように、複数の前記ガス噴出孔が設けられた前記ガス噴出体が前記おむつの中に敷設され、前記ガス噴出体には、消臭・殺菌作用を有するオゾンを発生する前記オゾン発生器が接続され、前記ガス噴出体にオゾンが吹き込まれ、オゾンが前記ガス噴出孔から前記おむつ内に噴出して、前記おむつ内が消臭・殺菌されることを特徴とする請求項１もしくは請求項２記載のおむつ消臭・殺菌装置を備えたおむつである。
【手続補正８】
【補正対象書類名】明細書
【補正対象項目名】００１１
【補正方法】変更
【補正の内容】
【００１１】
第４の解決手段は特許請求項４に示すように、前記おむつの中に敷設して、複数の前記ガス噴出孔からオゾンを噴出して、前記おむつ内を消臭・殺菌することを特徴とする請求項１もしくは請求項２記載のおむつ消臭・殺菌装置に用いられるガス噴出体、もしくは請求項３記載のおむつに用いられるガス噴出体である。
【手続補正９】
【補正対象書類名】明細書
【補正対象項目名】００１２
【補正方法】変更
【補正の内容】
【００１２】
第５の解決手段は特許請求項５に示すように、前記ガス噴出体が前記おむつの中に敷設され、前記ガス噴出体には、オゾンを生成する前記オゾン発生器が接続され、該オゾン発生器で生成されたオゾンが、前記ガス噴出体に供給され、前記ガス噴出孔から前記おむつ内にオゾンが噴出され、前記おむつ内が消臭・殺菌されることを特徴とする請求項１もしくは請求項２記載のおむつ消臭・殺菌装置を用いたおむつ消臭・殺菌方法、もしくは請求項３記載のおむつを用いたおむつ消臭・殺菌方法、もしくは請求項４記載のガス噴出体を用いたおむつ消臭・殺菌方法である。
【手続補正１０】
【補正対象書類名】明細書
【補正対象項目名】００２０
【補正方法】変更
【補正の内容】
【００２０】
第１の解決手段は特許請求項１に示すように、ガス噴出体２０がおむつ５０の中に装着され、前記ガス噴出体２０は前記おむつ５０の吸水材５３と防水材５２の間に載置されており、前記ガス噴出体２０には、オゾンを生成するオゾン発生器３０が接続され、該オゾン発生器３０で生成されたオゾンが、前記ガス噴出体２０に供給され、ガス噴出孔２０から前記おむつ５０内にオゾンが噴出され、前記おむつ５０内が消臭・殺菌されることを特徴とするおむつ消臭・殺菌装置１０である。
【手続補正１１】
【補正対象書類名】明細書
【補正対象項目名】００４０
【補正方法】変更
【補正の内容】
【００４０】
第３の解決手段は特許請求項３に示すように、複数の前記ガス噴出孔２０ａが設けられた前記ガス噴出体２０が前記おむつ５０の中に敷設され、前記ガス噴出体２０には、消臭・殺菌作用を有するオゾンを発生する前記オゾン発生器３０が接続され、前記ガス噴出体２０にオゾンが吹き込まれ、オゾンが前記ガス噴出孔２０ａから前記おむつ５０内に噴出して、前記おむつ５０内が消臭・殺菌されることを特徴とする請求項１もしくは請求項２記載のおむつ消臭・殺菌装置１０を備えたおむつ５０である。
【手続補正１２】
【補正対象書類名】明細書
【補正対象項目名】００４４
【補正方法】変更
【補正の内容】
【００４４】
第４の解決手段は特許請求項４に示すように、前記おむつ５０の中に敷設して、複数の前記ガス噴出孔２０ａからオゾンを噴出して、前記おむつ５０内を消臭・殺菌することを特徴とする請求項１もしくは請求項２記載のおむつ消臭・殺菌装置１０に用いられるガス噴出体２０、もしくは請求項３記載のおむつ５０に用いられるガス噴出体２０である。
【手続補正１３】
【補正対象書類名】明細書
【補正対象項目名】００４７
【補正方法】変更
【補正の内容】
【００４７】
第５の解決手段は特許請求項５に示すように、前記ガス噴出体２０が前記おむつ５０の中に敷設され、前記ガス噴出体２０には、オゾンを生成する前記オゾン発生器３０が接続され、該オゾン発生器３０で生成されたオゾンが、前記ガス噴出体２０に供給され、前記ガス噴出孔２０ａから前記おむつ５０内にオゾンが噴出され、前記おむつ５０内が消臭・殺菌されることを特徴とする請求項１もしくは請求項２記載のおむつ消臭・殺菌装置１０を用いたおむつ消臭・殺菌方法、もしくは請求項３記載のおむつ５０を用いたおむつ消臭・殺菌方法、もしくは請求項４記載のガス噴出体２０を用いたおむつ消臭・殺菌方法である。